(57)【要約】【課題】  エンドマーカの消失やエンドマーカの遅延が生じた場合であっても、ダイレクトデータの送信を適切に開始することを可能とする移動通信システム、ネットワーク装置及び移動通信方法を提供する。【解決手段】  第２通信システムは、第１通信システムから転送される最後のフォワーディングデータを示すエンドマーカをエンドマーカ待ち受け期間内に受信することができない場合に、エンドマーカの受信を待たずに、コアネットワーク装置から受信するダイレクトデータの送信を開始する。【選択図】  図３
2011229027.tif 000002
【特許請求の範囲】
【請求項１】
第１通信システム及び第２通信システムを有しており、前記第１通信システムから前記第２通信システムへの遷移が決定された場合に、前記第１通信システムがコアネットワーク装置から既に受信しているフォワーディングデータを前記第１通信システムから前記第２通信システムに転送するように構成された移動通信システムであって、
前記第２通信システムは、前記第１通信システムから転送される最後のフォワーディングデータを示すエンドマーカをエンドマーカ待ち受け期間内に受信することができない場合に、前記エンドマーカの受信を待たずに、前記コアネットワーク装置から受信するダイレクトデータの送信を開始することを特徴とする移動通信システム。
【請求項２】
前記第２通信システムは、前記第１通信システムから前記第２通信システムへの遷移の決定に応じて、前記エンドマーカ待ち受け期間をカウントするためのエンドマーカ待ち受けタイマを起動することを特徴とする請求項１に記載の移動通信システム。
【請求項３】
前記第２通信システムは、前記第１通信システムから転送される最初のフォワーディングデータの受信に応じて、前記エンドマーカ待ち受け期間をカウントするためのエンドマーカ待ち受けタイマを起動することを特徴とする請求項１に記載の移動通信システム。
【請求項４】
前記第２通信システムは、前記コアネットワーク装置から送信される最初のダイレクトデータの受信に応じて、前記ダイレクトデータの送信を待機するダイレクトデータ待機期間をカウントするためのダイレクトデータ遅延抑制タイマを起動し、
前記第２通信システムは、前記エンドマーカ待ち受け期間が経過する前であっても、前記ダイレクトデータ待機期間が経過した場合に、前記ダイレクトデータの送信を開始することを特徴とする請求項２に記載の移動通信システム。
【請求項５】
前記第２通信システムは、前記第１通信システムから前記第２通信システムへの遷移の決定に応じて、前記第１通信システムから転送される最初のフォワーディングデータの受信を待ち合わせるフォワーディングデータ受信待ち合わせ期間をカウントするためのフォワーディングデータ待ち合わせタイマを起動し、
前記第２通信システムは、前記フォワーディングデータ受信待ち合わせ期間内に前記第１通信システムから転送される最初のフォワーディングデータを受信しない場合に、前記ダイレクトデータの送信を開始することを特徴とする請求項３に記載の移動通信システム。
【請求項６】
第１通信システム及び第２通信システムを有しており、前記第１通信システムから前記第２通信システムへの遷移が決定された場合に、前記第１通信システムがコアネットワーク装置から既に受信しているフォワーディングデータを前記第１通信システムから前記第２通信システムに転送するように構成された移動通信システムにおいて、前記第２通信システムに設けられたネットワーク装置であって、
前記第１通信システムから転送される最後のフォワーディングデータを示すエンドマーカをエンドマーカ待ち受け期間内に受信することができない場合に、前記エンドマーカの受信を待たずに、前記コアネットワーク装置から受信するダイレクトデータの送信を開始するように構成された送信部を備えることを特徴とするネットワーク装置。
【請求項７】
第１通信システム及び第２通信システムを有しており、前記第１通信システムから前記第２通信システムへの遷移が決定された場合に、前記第１通信システムがコアネットワーク装置から既に受信しているフォワーディングデータを前記第１通信システムから前記第２通信システムに転送するように構成された移動通信システムで用いられる移動通信方法であって、
前記第２通信システムが、前記第１通信システムから転送される最後のフォワーディングデータを示すエンドマーカをエンドマーカ待ち受け期間内に受信することができない場合に、前記エンドマーカの受信を待たずに、前記コアネットワーク装置から受信するダイレクトデータの送信を開始するステップを備えることを特徴とする移動通信方法。
【請求項８】
第１通信システム及び第２通信システムを有しており、前記第１通信システムから前記第２通信システムへの遷移が決定された場合に、前記第１通信システムがコアネットワーク装置から既に受信しているフォワーディングデータを前記第１通信システムから前記第２通信システムに転送するように構成された移動通信システムであって、
前記第１通信システムは、前記コアネットワークから送信される最後のフォワーディングデータを示すエンドマーカをエンドマーカ待ち受け期間内に受信することができない場合に、前記エンドマーカの受信を待たずに、前記第２通信システムにダミーエンドマーカを送信することを特徴とする移動通信システム。
【請求項９】
第１通信システム及び第２通信システムを有しており、前記第１通信システムから前記第２通信システムへの遷移が決定された場合に、前記第１通信システムがコアネットワーク装置から既に受信しているフォワーディングデータを前記第１通信システムから前記第２通信システムに転送するように構成された移動通信システムにおいて、前記第２通信システムに設けられたネットワーク装置であって、
前記コアネットワークから送信される最後のフォワーディングデータを示すエンドマーカをエンドマーカ待ち受け期間内に受信することができない場合に、前記エンドマーカの受信を待たずに、前記第２通信システムにダミーエンドマーカを送信するように構成された送信部を備えることを特徴とするネットワーク装置。
【請求項１０】
第１通信システム及び第２通信システムを有しており、前記第１通信システムから前記第２通信システムへの遷移が決定された場合に、前記第１通信システムがコアネットワーク装置から既に受信しているフォワーディングデータを前記第１通信システムから前記第２通信システムに転送するように構成された移動通信システムで用いられる移動通信方法であって、
前記第１通信システムが、前記コアネットワークから送信される最後のフォワーディングデータを示すエンドマーカをエンドマーカ待ち受け期間内に受信することができない場合に、前記エンドマーカの受信を待たずに、前記第２通信システムにダミーエンドマーカを送信するステップを備えることを特徴とする移動通信方法。
【発明の詳細な説明】
【技術分野】
【０００１】
本発明は、第１通信システム及び第２通信システムを含む移動通信システム、第２通信システムに設けられるネットワーク装置及び移動通信システムで用いられる移動通信方法に関する。
【背景技術】
【０００２】
移動通信システムにおいて、移動通信端末（ＵＥ）が第１通信システム（第１ＲＡＴ（Ｒａｄｉｏ  Ａｃｃｅｓｓ  Ｔｅｃｈｎｏｒｏｌｇｙ））から第２通信システム（第２ＲＡＴ）への接続を行う手順として、Ｉｎｔｅｒ−ＲＡＴハンドオーバが知られている。
【０００３】
ここで、Ｉｎｔｅｒ−ＲＡＴハンドオーバでは、第１通信システムから第２通信システムへの遷移が決定された場合に、第１通信システムが既に受信しているデータ（パケット）を第１通信システムから第２通信システムに転送する技術（Ｆｏｒｗａｒｄｉｎｇ技術）が知られている。また、Ｉｎｔｅｒ−ＲＡＴハンドオーバでは、第１通信システムから転送されるデータ（以下、フォワーディングデータ）及び第２通信システムがコアネットワークから直接的に受信するデータ（以下、ダイレクトデータ）の並べ替えを行う技術（Ｒｅｏｒｄｅｒｉｎｇ技術）が知られている。
【０００４】
なお、同一ＲＡＴ内におけるハンドオーバ（Ｉｎｔｒａ−ＲＡＴハンドオーバ）において、遷移元の基地局から遷移先の基地局にデータを転送し、遷移先の基地局において、遷移元から転送されたデータを一定時間に亘ってバッファリングする技術が提案されている（例えば、特許文献１）。
【０００５】
ここで、Ｉｎｔｅｒ−ＲＡＴハンドオーバでは、第１通信システムから転送されるフォワーディングデータが最後のデータであることを示すエンドマーカが利用される。第２通信システムは、第１通信システムからエンドマーカが転送された場合に、ダイレクトデータの送信を開始するように構成される。
【先行技術文献】
【特許文献】
【０００６】
【特許文献１】特開２００８−２３６２６９
【発明の概要】
【発明が解決しようとする課題】
【０００７】
しかしながら、エンドマーカの転送経路においてエンドマーカが消失して、エンドマーカを第２通信システムが受信できない場合には、第２通信システムは、ダイレクトデータの送信を開始することができない。また、エンドマーカの転送経路においてエンドマーカが大幅に遅延する場合においても、ダイレクトデータの送信が遅れるため、スループットが低下する。
【０００８】
そこで、本発明は、上述した課題を解決するためになされたものであり、エンドマーカの消失やエンドマーカの遅延が生じた場合であっても、ダイレクトデータの送信を適切に開始することを可能とする移動通信システム、ネットワーク装置及び移動通信方法を提供することを目的とする。
【課題を解決するための手段】
【０００９】
第１の特徴に係る移動通信システムは、第１通信システム及び第２通信システムを有しており、前記第１通信システムから前記第２通信システムへの遷移が決定された場合に、前記第１通信システムがコアネットワーク装置から既に受信しているフォワーディングデータを前記第１通信システムから前記第２通信システムに転送するように構成される。前記第２通信システムは、前記第１通信システムから転送される最後のフォワーディングデータを示すエンドマーカをエンドマーカ待ち受け期間内に受信することができない場合に、前記エンドマーカの受信を待たずに、前記コアネットワーク装置から受信するダイレクトデータの送信を開始する。
【００１０】
第１の特徴において、前記第２通信システムは、前記第１通信システムから前記第２通信システムへの遷移の決定に応じて、前記エンドマーカ待ち受け期間をカウントするためのエンドマーカ待ち受けタイマを起動する。
【００１１】
第１の特徴において、前記第２通信システムは、前記第１通信システムから転送される最初のフォワーディングデータの受信に応じて、前記エンドマーカ待ち受け期間をカウントするためのエンドマーカ待ち受けタイマを起動する。
【００１２】
第１の特徴において、前記第２通信システムは、前記コアネットワーク装置から送信される最初のダイレクトデータの受信に応じて、前記ダイレクトデータの送信を待機するダイレクトデータ待機期間をカウントするためのダイレクトデータ遅延抑制タイマを起動する。前記第２通信システムは、前記エンドマーカ待ち受け期間が経過する前であっても、前記ダイレクトデータ待機期間が経過した場合に、前記ダイレクトデータの送信を開始する。
【００１３】
第１の特徴において、前記第２通信システムは、前記第１通信システムから前記第２通信システムへの遷移の決定に応じて、前記第１通信システムから転送される最初のフォワーディングデータの受信を待ち合わせるフォワーディングデータ受信待ち合わせ期間をカウントするためのフォワーディングデータ待ち合わせタイマを起動する。前記第２通信システムは、前記フォワーディングデータ受信待ち合わせ期間内に前記第１通信システムから転送される最初のフォワーディングデータを受信しない場合に、前記ダイレクトデータの送信を開始する。
【００１４】
第２の特徴に係るネットワーク装置は、第１通信システム及び第２通信システムを有する移動通信システムにおいて、前記第２通信システムに設けられる。移動通信システムは、前記第１通信システムから前記第２通信システムへの遷移が決定された場合に、前記第１通信システムがコアネットワーク装置から既に受信しているフォワーディングデータを前記第１通信システムから前記第２通信システムに転送するように構成される。ネットワーク装置は、前記第１通信システムから転送される最後のフォワーディングデータを示すエンドマーカをエンドマーカ待ち受け期間内に受信することができない場合に、前記エンドマーカの受信を待たずに、前記コアネットワーク装置から受信するダイレクトデータの送信を開始する。
【００１５】
第３の特徴に係る移動通信方法は、第１通信システム及び第２通信システムを有する移動通信システムで用いられる。移動通信システムは、第１通信システム及び第２通信システムを有しており、前記第１通信システムから前記第２通信システムへの遷移が決定された場合に、前記第１通信システムがコアネットワーク装置から既に受信しているフォワーディングデータを前記第１通信システムから前記第２通信システムに転送するように構成される。移動通信方法は、前記第２通信システムが、前記第１通信システムから転送される最後のフォワーディングデータを示すエンドマーカをエンドマーカ待ち受け期間内に受信することができない場合に、前記エンドマーカの受信を待たずに、前記コアネットワーク装置から受信するダイレクトデータの送信を開始するステップを備える。
【００１６】
第４の特徴に係る移動通信システムは、第１通信システム及び第２通信システムを有しており、前記第１通信システムから前記第２通信システムへの遷移が決定された場合に、前記第１通信システムがコアネットワーク装置から既に受信しているフォワーディングデータを前記第１通信システムから前記第２通信システムに転送するように構成される。前記第１通信システムは、前記コアネットワーク装置から送信される最後のフォワーディングデータを示すエンドマーカをエンドマーカ待ち受け期間内に受信することができない場合に、前記エンドマーカの受信を待たずに、前記第２通信システムにダミーエンドマーカを送信する。
【００１７】
第５の特徴に係るネットワーク装置は、第１通信システム及び第２通信システムを有する移動通信システムにおいて、第１通信システムに設けられる。移動通信システムは、前記第１通信システムから前記第２通信システムへの遷移が決定された場合に、前記第１通信システムがコアネットワーク装置から既に受信しているフォワーディングデータを前記第１通信システムから前記第２通信システムに転送するように構成される。前記ネットワーク装置は、前記コアネットワーク装置から送信される最後のフォワーディングデータを示すエンドマーカをエンドマーカ待ち受け期間内に受信することができない場合に、前記エンドマーカの受信を待たずに、前記第２通信システムにダミーエンドマーカを送信するように構成された送信部を備える。
【００１８】
第６の特徴に係る移動通信方法は、第１通信システム及び第２通信システムを有する移動通信システムで用いられる。移動通信システムは、第１通信システム及び第２通信システムを有しており、前記第１通信システムから前記第２通信システムへの遷移が決定された場合に、前記第１通信システムがコアネットワーク装置から既に受信しているフォワーディングデータを前記第１通信システムから前記第２通信システムに転送するように構成される。移動通信方法は、前記第１通信システムが、前記コアネットワーク装置から送信される最後のフォワーディングデータを示すエンドマーカをエンドマーカ待ち受け期間内に受信することができない場合に、前記エンドマーカの受信を待たずに、前記第２通信システムにダミーエンドマーカを送信するステップを備える。
【発明の効果】
【００１９】
本発明によれば、エンドマーカの消失やエンドマーカの遅延が生じた場合であっても、ダイレクトデータの送信を適切に開始することを可能とする移動通信システム、ネットワーク装置及び移動通信方法を提供することができる。
【図面の簡単な説明】
【００２０】
【図１】第１実施形態に係る移動通信システム１００を示す図である。
【図２】第１実施形態に係るネットワーク装置２０を示すブロック図である。
【図３】第１実施形態に係る第１方法の適用例を示すシーケンス図である。
【図４】第１実施形態に係る第２方法の適用例を示すシーケンス図である。
【図５】第２実施形態に係る適用例を示すシーケンス図である。
【発明を実施するための形態】
【００２１】
以下において、本発明の実施形態に係る移動通信システムについて、図面を参照しながら説明する。なお、以下の図面の記載において、同一又は類似の部分には、同一又は類似の符号を付している。
【００２２】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２３】
［実施形態の概要］
実施形態に係る移動通信システムは、第１通信システム及び第２通信システムを有しており、第１通信システムから第２通信システムへの遷移が決定された場合に、第１通信システムがコアネットワーク装置から既に受信しているフォワーディングデータを第１通信システムから第２通信システムに転送するように構成される。
【００２４】
第１に、第２通信システムは、第１通信システムから転送される最後のフォワーディングデータを示すエンドマーカをエンドマーカ待ち受け期間内に受信することができない場合に、エンドマーカの受信を待たずに、コアネットワーク装置から受信するダイレクトデータの送信を開始する。
【００２５】
実施形態では、第２通信システムは、エンドマーカ待ち受け期間内において、第１通信システムからエンドマーカを受信することができない場合に、エンドマーカの受信を待たずに、コアネットワーク装置から受信するダイレクトデータの送信を開始する。従って、エンドマーカの消失やエンドマーカの遅延が生じた場合であっても、ダイレクトデータの送信を適切に開始することができる。
【００２６】
第２に、第１通信システムは、コアネットワーク装置から送信される最後のフォワーディングデータを示すエンドマーカをエンドマーカ待ち受け期間内に受信することができない場合に、エンドマーカの受信を待たずに、第２通信システムにダミーエンドマーカを送信する。従って、コアネットワーク装置と第１通信システムとの間においてエンドマーカの消失やエンドマーカの遅延が生じた場合であっても、ダイレクトデータの送信を適切に開始することができる。
【００２７】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２８】
図１に示すように、移動通信システム１００は、通信端末装置１０（以下、ＵＥ１０）と、コアネットワーク５０とを含む。また、移動通信システム１００は、第１通信システムと第２通信システムとを含む。
【００２９】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、基地局２１０（以下、ｅＮＢ２１０）と、ＭＭＥ２３０とを有する。なお、第１通信システムでは、第１ＲＡＴ（Ｒａｄｉｏ  Ａｃｃｅｓｓ  Ｔｅｃｈｎｏｒｏｌｇｙ）が用いられる。
【００３０】
第２通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第２通信システムは、基地局１１０（以下、ＮＢ１１０）と、ＲＮＣ１２０と、ＳＧＳＮ１３０とを有する。なお、第２通信システムでは、第２ＲＡＴ（Ｒａｄｉｏ  Ａｃｃｅｓｓ  Ｔｅｃｈｎｏｒｏｌｇｙ）が用いられる。
【００３１】
ＵＥ１０は、第１通信システム及び第２通信システムと通信を行うように構成された装置（Ｕｓｅｒ  Ｅｑｕｉｐｍｅｎｔ）である。例えば、ＵＥ１０は、ＮＢ１１０と無線通信を行う機能を有するとともに、ｅＮＢ２１０と無線通信を行う機能を有する。
【００３２】
ＮＢ１１０は、セル１１１を有しており、セル１１１に存在するＵＥ１０と無線通信を行う装置（ＮｏｄｅＢ）である。
【００３３】
ＲＮＣ１２０は、ＮＢ１１０に接続されており、セル１１１に存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３４】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３５】
ｅＮＢ２１０は、セル２１１を有しており、セル２１１に存在するＵＥ１０と無線通信を行う装置（ｅｖｏｌｖｅｄ  ＮｏｄｅＢ）である。
【００３６】
ＭＭＥ２３０は、ｅＮＢ２１０と無線接続を設定しているＵＥ１０の移動性を管理する装置（Ｍｏｂｉｌｉｔｙ  Ｍａｎａｇｅｍｅｎｔ  Ｅｎｔｉｔｙ）である。ＭＭＥ２３０は、コアネットワーク５０に設けられる。
【００３７】
なお、セルは、ＵＥ１０と無線通信を行う機能として理解すべきである。但し、セルは、セルと通信可能な範囲を示すサービスエリアと考えてもよい。セルは、セルで用いられる周波数、拡散コード又はタイムスロットなどによって識別される。
【００３８】
ここで、コアネットワーク５０は、ＳＧＷ３１０と、ＰＤＮ−ＧＷ３２０とを有する。
【００３９】
ＳＧＷ３１０は、第１通信システムと第２通信システムとの間のインタフェースとして機能する装置（Ｓｅｒｖｉｎｇ  Ｇａｔｅｗａｙ）である。ＰＤＮ−ＧＷ３２０は、コアネットワーク５０と外部ネットワーク（例えば、ＷｉＭＡＸなど）との間のインタフェースとして機能する装置（Ｐａｃｋｅｔ  Ｄａｔａ  Ｎｅｔｗｏｒｋ  Ｇａｔｅｗａｙ）である。
【００４０】
第１実施形態では、第１通信システムから第２通信システムへの遷移（Ｉｎｔｅｒ−ＲＡＴハンドオーバ）について例示する。Ｉｎｔｅｒ−ＲＡＴハンドオーバが決定された場合に、第１通信システムが既に受信しているデータ（パケット）が第１通信システムから第２通信システムに転送される（Ｆｏｒｗａｒｄｉｎｇ技術）。また、第２通信システムは、第１通信システムから転送されるフォワーディングデータ及びコアネットワーク５０から受信するダイレクトデータの並べ替えを行う（Ｒｅｏｒｄｅｒｉｎｇ技術）。
【００４１】
また、第１実施形態では、第２通信システムは、基本的には、第１通信システムから転送されるフォワーディングデータが最後のデータであることを示すエンドマーカが第１通信システムから転送された場合に、ダイレクトデータの送信を開始する。
【００４２】
（ネットワーク装置の構成）
以下において、第１実施形態に係るネットワーク装置の構成について、図面を参照しながら説明する。図２は、第１実施形態に係るネットワーク装置２０を示す図である。
【００４３】
第１実施形態では、ネットワーク装置２０は、第２通信システムに設けられる。例えば、ネットワーク装置２０は、ＲＮＣ１２０である。図２に示すように、ネットワーク装置２０は、通信部２１と、タイマ管理部２２と、制御部２３とを有する。
【００４４】
通信部２１は、他のネットワーク装置と通信を行う。例えば、通信部２１は、第１通信システムに設けられるネットワーク装置（例えば、ｅＮＢ２１０又はＭＭＥ２３０）からフォワーディングデータを受信する。或いは、通信部２１は、ＳＧＳＮ１３０を経由してフォワーディングデータを受信してもよい。或いは、通信部２１は、コアネットワーク５０に設けられるネットワーク装置（例えば、ＳＧＷ３１０）を経由してフォワーディングデータを受信してもよい。また、通信部２１は、コアネットワーク５０に設けられるネットワーク装置（例えば、ＳＧＷ３１０）からダイレクトデータを受信する。
【００４５】
通信部２１は、ＵＥ１０と通信を行う。例えば、通信部２１は、フォワーディングデータをＵＥ１０に送信する。また、通信部２１は、ダイレクトデータをＵＥ１０に送信する。
【００４６】
タイマ管理部２２は、各種タイマを管理する。第１に、タイマ管理部２２は、第１通信システムから転送される最後のフォワーディングデータを示すエンドマーカを待ち受けるエンドマーカ待ち受け期間をカウントするためのエンドマーカ待ち受けタイマを管理する。第２に、タイマ管理部２２は、ダイレクトデータの送信を待機するダイレクトデータ待機期間をカウントするためのダイレクトデータ遅延抑制タイマを管理する。第３に、タイマ管理部２２は、第１通信システムから転送される最初のフォワーディングデータの受信を待ち合わせるフォワーディングデータ受信待ち合わせ期間をカウントするためのフォワーディングデータ待ち合わせタイマを管理する。
【００４７】
制御部２３は、ネットワーク装置２０を制御する。例えば、制御部２３は、第１通信システムから転送されるフォワーディングデータ及びコアネットワーク５０から受信するダイレクトデータの並べ替えを行う（Ｒｅｏｒｄｅｒｉｎｇ技術）。
【００４８】
ここで、制御部２３は、以下の方法で、フォワーディングデータ及びダイレクトデータを送信する。
【００４９】
（１）第１方法
第１方法では、エンドマーカ待ち受けタイマ及びダイレクトデータ遅延抑制タイマが用いられる。第１に、制御部２３は、第１通信システムから第２通信システムへの遷移の決定に応じて、エンドマーカ待ち受けタイマを起動する。詳細には、制御部２３は、ＳＧＳＮ１３０から受信するメッセージ（例えば、“Ｒｅｌｏｃａｔｉｏｎ  Ｒｅｑｕｅｓｔ”）に応じて、エンドマーカ待ち受けタイマを起動する。
【００５０】
第２に、制御部２３は、コアネットワーク５０（例えば、ＳＧＷ３１０）から送信される最初のダイレクトデータの受信に応じて、ダイレクトデータ遅延抑制タイマを起動する。
【００５１】
ここで、制御部２３は、エンドマーカ待ち受けタイマによってカウントされるエンドマーカ待ち受け期間内にエンドマーカを受信することができない場合に、エンドマーカの受信を待たずに、ダイレクトデータの送信を開始する。
【００５２】
また、制御部２３は、エンドマーカ待ち受け期間が経過する前であっても、ダイレクトデータ遅延抑制タイマによってカウントされるダイレクトデータ待機期間が経過した場合に、ダイレクトデータの送信を開始する。
【００５３】
なお、制御部２３は、ダイレクトデータの送信が開始された後に受信するフォワーディングデータを廃棄してもよい。また、ダイレクトデータ遅延抑制タイマは省略されてもよい。
【００５４】
さらに、制御部２３は、エンドマーカ待ち受けタイマによってカウントされるエンドマーカ待ち受け期間内にエンドマーカを受信することができない場合に、エンドマーカの受信を待たずに、第１通信システムと第２通信システムとの間のデータ転送に用いる各種リソースの解放（パス解放、フォワーディングデータ廃棄に伴うバッファクリア、転送用プロセスのターミネート等）を行うように構成されていてもよい。
【００５５】
（２）第２方法
第２方法では、フォワーディングデータ待ち合わせタイマ及びエンドマーカ待ち受けタイマが用いられる。第１に、制御部２３は、第１通信システムから第２通信システムへの遷移の決定に応じて、フォワーディングデータ待ち合わせタイマを起動する。詳細には、制御部２３は、ＳＧＳＮ１３０から受信するメッセージ（例えば、“Ｒｅｌｏｃａｔｉｏｎ  Ｒｅｑｕｅｓｔ”）に応じて、フォワーディングデータ待ち合わせタイマを起動する。
【００５６】
第２に、制御部２３は、第１通信システムから転送される最初のフォワーディングデータの受信に応じて、エンドマーカ待ち受けタイマを起動する。
【００５７】
ここで、制御部２３は、フォワーディングデータ待ち合わせタイマによってカウントされるフォワーディングデータ受信待ち合わせ期間内に、第１通信システムから転送される最初のフォワーディングデータを受信しない場合に、ダイレクトデータの送信を開始する。
【００５８】
また、制御部２３は、エンドマーカ待ち受けタイマによってカウントされるエンドマーカ待ち受け期間内にエンドマーカを受信することができない場合に、エンドマーカの受信を待たずに、ダイレクトデータの送信を開始する。
【００５９】
なお、制御部２３は、ダイレクトデータの送信が開始された後に受信するフォワーディングデータを廃棄してもよい。また、フォワーディングデータ待ち合わせタイマは省略されてもよい。
【００６０】
さらに、制御部２３は、フォワーディングデータ待ち合わせタイマによってカウントされるフォワーディングデータ受信待ち合わせ期間内に、第１通信システムから転送される最初のフォワーディングデータを受信しない場合に、第１通信システムと第２通信システムとの間のデータ転送に用いる各種リソースの解放（パス解放、フォワーディングデータ廃棄に伴うバッファクリア、転送用プロセスのターミネート等）を行うように構成されていてもよい。
【００６１】
（第１方法の適用例）
以下において、第１実施形態に係る第１方法の適用例について、図面を参照しながら説明する。図３は、第１実施形態に係る第１方法の適用例を示すシーケンス図である。
【００６２】
図３に示すように、ステップ１０において、ＳＧＳＮ１３０は、第１通信システムから第２通信システムへの遷移の決定を通知するメッセージ（例えば、“Ｒｅｌｏｃａｔｉｏｎ  Ｒｅｑｕｅｓｔ”）をＲＮＣ１２０に送信する。
【００６３】
ここで、ＲＮＣ１２０は、メッセージ（例えば、“Ｒｅｌｏｃａｔｉｏｎ  Ｒｅｑｕｅｓｔ”）の受信に応じて、エンドマーカ待ち受けタイマを起動する。
【００６４】
ステップ２０において、コアネットワーク５０（例えば、ＳＧＷ３１０）は、ダイレクトデータをＲＮＣ１２０に送信する。なお、ＲＮＣ１２０は、ダイレクトデータを直ちに送信せずに、ダイレクトデータの送信を留保する。
【００６５】
ここで、ＲＮＣ１２０は、コアネットワーク５０（例えば、ＳＧＷ３１０）から送信される最初のダイレクトデータの受信に応じて、ダイレクトデータ遅延抑制タイマを起動する。
【００６６】
ステップ３０において、第１通信システムは、フォワーディングデータをＲＮＣ１２０に送信する。なお、フォワーディングデータは、トンネリング技術によってｅＮＢ２１０から直接的にＲＮＣ１２０に転送されてもよい。或いは、フォワーディングデータは、ｅＮＢ２１０からＳＧＷ３１０を経由して転送されてもよい。或いは、フォワーディングデータは、ｅＮＢ２１０からＳＧＳＮ１３０を経由して転送されてもよい。
【００６７】
ステップ４０において、ＲＮＣ１２０は、フォワーディングデータをＮＢ１１０に送信する。具体的には、ＲＮＣ１２０は、ダイレクトデータよりも先にフォワーディングデータを送信する。
【００６８】
ステップ５０において、ＲＮＣ１２０は、ダイレクトデータ遅延抑制タイマによってカウントされるダイレクトデータ待機期間が経過したため、ダイレクトデータの送信を開始する。すなわち、ＲＮＣ１２０は、エンドマーカ待ち受け期間が経過する前であっても、ダイレクトデータ待機期間の経過に応じて、ダイレクトデータの送信を開始する。
【００６９】
ステップ６０において、第１通信システムは、フォワーディングデータをＲＮＣ１２０に送信する。但し、ＲＮＣ１２０は、ダイレクトデータの送信を開始しているため、フォワーディングデータを送信せずに破棄する。
【００７０】
ステップ７０において、第１通信システムは、第１通信システムから転送される最後のフォワーディングデータを示すエンドマーカをＲＮＣ１２０に送信する。
【００７１】
ステップ８０において、ＲＮＣ１２０は、フォワーディングデータの転送が完了したことを示すメッセージ（例えば、“Ｒｅｌｏｃａｔｉｏｎ  Ｃｏｍｐｌｅｔｅ”）をＳＧＳＮ１３０に送信する。
【００７２】
ステップ９０において、ＳＧＳＮ１３０は、フォワーディングデータの転送経路に用いるリソースの削除要求メッセージをＲＮＣ１２０に送信する。
【００７３】
ステップ１００において、ＲＮＣ１２０は、削除要求メッセージに対する応答メッセージをＳＧＳＮ１３０に送信する。
【００７４】
（第２方法の適用例）
以下において、第１実施形態に係る第２方法の適用例について、図面を参照しながら説明する。図４は、第１実施形態に係る第２方法の適用例を示すシーケンス図である。
【００７５】
図４に示すように、ステップ１１０において、ＳＧＳＮ１３０は、第１通信システムから第２通信システムへの遷移の決定を通知するメッセージ（Ｒｅｌｏｃａｔｉｏｎ  Ｒｅｑｕｅｓｔ）をＲＮＣ１２０に送信する。
【００７６】
ここで、ＲＮＣ１２０は、メッセージ（Ｒｅｌｏｃａｔｉｏｎ  Ｒｅｑｕｅｓｔ）の受信に応じて、フォワーディングデータ待ち合わせタイマを起動する。
【００７７】
ステップ１２０において、コアネットワーク５０（例えば、ＳＧＷ３１０）は、ダイレクトデータをＲＮＣ１２０に送信する。なお、ＲＮＣ１２０は、ダイレクトデータを直ちに送信せずに、ダイレクトデータの送信を留保する。
【００７８】
ステップ１３０において、第１通信システムは、フォワーディングデータをＲＮＣ１２０に送信する。なお、フォワーディングデータは、トンネリング技術によってｅＮＢ２１０から直接的にＲＮＣ１２０に転送されてもよい。或いは、フォワーディングデータは、ｅＮＢ２１０からＳＧＷ３１０を経由して転送されてもよい。或いは、フォワーディングデータは、ｅＮＢ２１０からＳＧＳＮ１３０を経由して転送されてもよい。
【００７９】
ここで、ＲＮＣ１２０は、フォワーディングデータ待ち合わせタイマによってカウントされるフォワーディングデータ受信待ち合わせ期間内に、第１通信システムから転送される最初のフォワーディングデータを受信するため、最初のフォワーディングデータの受信に応じて、エンドマーカ待ち受けタイマを起動する。
【００８０】
ステップ１４０において、ＲＮＣ１２０は、フォワーディングデータをＮＢ１１０に送信する。具体的には、ＲＮＣ１２０は、ダイレクトデータよりも先にフォワーディングデータを送信する。
【００８１】
ステップ１５０において、コアネットワーク５０（例えば、ＳＧＷ３１０）は、ダイレクトデータをＲＮＣ１２０に送信する。なお、ＲＮＣ１２０は、ダイレクトデータを直ちに送信せずに、ダイレクトデータの送信を留保する。
【００８２】
ステップ１６０において、第１通信システムは、第１通信システムから転送される最後のフォワーディングデータを示すエンドマーカをＲＮＣ１２０に送信する。
【００８３】
ステップ１７０において、ＲＮＣ１２０は、フォワーディングデータの転送が完了したことを示すメッセージ（例えば、“Ｒｅｌｏｃａｔｉｏｎ  Ｃｏｍｐｌｅｔｅ”）をＳＧＳＮ１３０に送信する。
【００８４】
ステップ１８０において、ＲＮＣ１２０は、エンドマーカを受信したため、ダイレクトデータの送信を開始する。
【００８５】
ステップ１９０において、ＳＧＳＮ１３０は、フォワーディングデータの転送経路に用いるリソースの削除要求メッセージをＲＮＣ１２０に送信する。
【００８６】
ステップ２００において、ＲＮＣ１２０は、削除要求メッセージに対する応答メッセージをＳＧＳＮ１３０に送信する。
【００８７】
図４では、エンドマーカ待ち受け期間内にエンドマーカを受信するケースについて例示したが、エンドマーカ待ち受け期間内にエンドマーカを受信しない場合には、ＲＮＣ１２０は、ダイレクトデータの送信を開始する。さらに、図示しないが、エンドマーカ待ち受け期間内にエンドマーカを受信しない場合には、各種リソースの解放を行ってもよい。
【００８８】
また、図４では、フォワーディングデータ受信待ち合わせ期間内に最初のフォワーディングデータを受信するケースについて例示したが、フォワーディングデータ受信待ち合わせ期間内に最初のフォワーディングデータを受信しない場合には、ＲＮＣ１２０は、ダイレクトデータの送信を開始する。
【００８９】
（作用及び効果）
第１実施形態では、第２通信システム（以下、ネットワーク装置２０）は、エンドマーカ待ち受け期間内において、第１通信システムからエンドマーカを受信することができない場合に、エンドマーカの受信を待たずに、コアネットワーク装置から受信するダイレクトデータの送信を開始する。従って、エンドマーカの転送経路においてエンドマーカの消失やエンドマーカの遅延が生じた場合であっても、ダイレクトデータの送信を適切に開始することができる。
【００９０】
また、第１実施形態では、第２通信システム（以下、ネットワーク装置２０）は、エンドマーカ待ち受け期間内において、第１通信システムからエンドマーカを受信することができない場合に、エンドマーカの受信を待たずに、各種リソースを解放する。従って、エンドマーカの消失やエンドマーカの遅延が生じた場合であっても、各種リソースを有効に利用することができる。
【００９１】
具体的には、第１方法において、ネットワーク装置２０は、エンドマーカ待ち受け期間が経過する前であっても、ダイレクトデータ遅延抑制タイマによってカウントされるダイレクトデータ待機期間が経過した場合に、ダイレクトデータの送信を開始する。言い換えると、エンドマーカ待ち受け期間内であっても、ダイレクトデータの遅延時間が長くなる場合に、ダイレクトデータの送信を開始する。これによって、ダイレクトデータの遅延が抑制される。また、各種リソースの解放を行うことで、無駄なリソースの維持を抑制することができる。
【００９２】
第２方法において、ネットワーク装置２０は、フォワーディングデータ待ち合わせタイマによってカウントされるフォワーディングデータ受信待ち合わせ期間内に、第１通信システムから転送される最初のフォワーディングデータを受信しない場合に、ダイレクトデータの送信を開始する。言い換えると、フォワーディングデータが第１通信システムから転送されない場合に、ダイレクトデータの遅延時間が長くなることを抑制することができる。また、各種リソースの解放を行うことで、無駄なリソースの維持を抑制することができる。
【００９３】
［第２実施形態］
以下において、第２実施形態について、図面を参照しながら説明する。以下においては、第１実施形態との相違点について説明する。
【００９４】
具体的には、第１実施形態では、第１通信システムから第２通信システムへの遷移において、第２通信システムの動作について主として説明した。これに対して、第２実施形態では、第１通信システムから第２通信システムへの遷移において、第１通信システムの動作について主として説明する。
【００９５】
ここで、第２実施形態では、第１通信システムは、エンドマーカ待ち受け期間内においてエンドマーカを受信することができない場合に、エンドマーカの受信を待たずに、第２通信システムに対して、ダミーエンドマーカを送信する。
【００９６】
なお、第２実施形態では、上述したネットワーク装置２０は、第１通信システムに設けられる。例えば、ネットワーク装置２０は、ｅＮＢ２１０である。第２実施形態にネットワーク装置２０の構成は、第１実施形態と同様である。但し、第２実施形態に係るネットワーク装置２０（制御部２３）は、エンドマーカ待ち受け期間内においてエンドマーカを受信することができない場合に、フォワーディングデータの送信を開始するのではなく、第２通信システムに対して、ダミーエンドマーカを送信する。
【００９７】
具体的には、第１に、第１通信システムに設けられるネットワーク装置２０の制御部２３は、第１通信システムから第２通信システムへの遷移の決定に応じて、エンドマーカ待ち受けタイマを起動する。詳細には、制御部２３は、ＳＧＳＮ１３０から受信するメッセージ（例えば、“Ｒｅｌｏｃａｔｉｏｎ  Ｒｅｑｕｅｓｔ”）に応じて、エンドマーカ待ち受けタイマを起動する。
【００９８】
第２に、制御部２３は、エンドマーカ待ち受けタイマによってカウントされるエンドマーカ待ち受け期間内にエンドマーカを受信することができない場合に、エンドマーカの受信を待たずに、ダミーエンドマーカを送信する。
【００９９】
なお、制御部２３は、ダイレクトデータの送信が開始された後に受信するフォワーディングデータを廃棄してもよい。また、ダイレクトデータ遅延抑制タイマは省略されてもよい。
【０１００】
さらに、制御部２３は、ダミーエンドマーカの送信後に、第１通信システムと第２通信システムとの間のデータ転送に用いる各種リソースの解放（パス解放、フォワーディングデータ廃棄に伴うバッファクリア、転送用プロセスのターミネート等）を行うように構成されていてもよい。
【０１０１】
なお、ダミーエンドマーカの構成は、エンドマーカと同様である。ダミーエンドマーカは、制御部２３によって生成される。
【０１０２】
（適用例）
以下において、第２実施形態に係る適用例について、図面を参照しながら説明する。図５は、第２実施形態に係る適用例を示すシーケンス図である。
【０１０３】
図５に示すように、ステップ２１０において、コアネットワーク５０は、第１通信システムからのダイレクトデータをｅＮＢ２１０に送信する。
【０１０４】
ステップ２２０において、ＳＧＷ３１０は、第１通信システムから第２通信システムへの遷移の決定を通知するメッセージ（例えば、“Ｒｅｌｏｃａｔｉｏｎ  Ｒｅｑｕｅｓｔ”）を送信する。
【０１０５】
ここで、ｅＮＢ２１０は、メッセージ（例えば、“Ｒｅｌｏｃａｔｉｏｎ  Ｒｅｑｕｅｓｔ”）の受信に応じて、エンドマーカ待ち受けタイマを起動する。
【０１０６】
ステップ２３０において、ｅＮＢ２１０は、コアネットワーク５０から受信するデータ（第１通信システムからのダイレクトデータ）のうち、ＵＥ１０からの送達確認が取れていないデータをフォワーディングデータとして第２通信システムに送信する。
【０１０７】
なお、フォワーディングデータは、トンネリング技術によってｅＮＢ２１０から直接的にＲＮＣ１２０に転送されてもよい。或いは、フォワーディングデータは、ｅＮＢ２１０からＳＧＷ３１０を経由して転送されてもよい。或いは、フォワーディングデータは、ｅＮＢ２１０からＳＧＳＮ１３０を経由して転送されてもよい。
【０１０８】
ステップ２４０において、コアネットワーク５０は、第１通信システムからのダイレクトデータをｅＮＢ２１０に送信する。
【０１０９】
ステップ２５０において、ｅＮＢ２１０は、エンドマーカ待ち受けタイマによってカウントされるエンドマーカ待ち受け期間が経過していないため、コアネットワーク５０から受信するデータのうち、ＵＥ１０からの送達確認が取れていないデータをフォワーディングデータとして第２通信システムに送信する。
【０１１０】
ステップ２６０において、ｅＮＢ２１０は、エンドマーカ待ち受け期間が経過したため、ダミーエンドマーカを第２通信システムに送信する。
【０１１１】
ステップ２７０において、第１通信システムは、ＵＥ１０と第１通信システムとの間の通信に必要なリソースを解放する。ｅＮＢ２１０は、フォワーディングデータの転送が完了したことを示すメッセージ（例えば、“Ｒｅｌｏｃａｔｉｏｎ  Ｃｏｍｐｌｅｔｅ”）をＳＧＷ３１０に送信する。
【０１１２】
（作用及び効果）
第２実施形態では、第１通信システム（以下、ネットワーク装置２０）は、エンドマーカ待ち受け期間内において、コアネットワーク５０からエンドマーカを受信することができない場合に、エンドマーカの受信を待たずに、ダミーエンドマーカを第２通信システムに送信する。従って、エンドマーカの転送経路（コアネットワーク５０と第１通信システムとの間の転送経路）においてエンドマーカの消失やエンドマーカの遅延が生じた場合であっても、ダイレクトデータの送信を適切に開始することができる。
【０１１３】
また、第１実施形態では、第２通信システム（以下、ネットワーク装置２０）は、ダミーエンドマーカの送信後に、各種リソースを解放する。従って、エンドマーカの転送経路（コアネットワーク５０と第１通信システムとの間の転送経路）においてエンドマーカの消失やエンドマーカの遅延が生じた場合であっても、各種リソースを有効に利用することができる。
【０１１４】
具体的には、ネットワーク装置２０は、エンドマーカ待ち受け期間が満了した場合に、第２通信システムにダミーエンドマーカを送信することによって、第２通信システムにおいてダイレクトデータの送信が可能となる。また、各種リソースの解放を行うことで、無駄なリソースの維持を抑制することができる。
【０１１５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１６】
上述した実施形態では、第１通信システムがＬＴＥに対応する通信システムであり、第２通信システムがＵＭＴＳに対応する通信システムである。しかしながら、実施形態は、これに限定されるものではない。具体的には、第１通信システムがＵＭＴＳに対応する通信システムであり、第２通信システムがＬＴＥに対応する通信システムであってもよい。
【０１１７】
このようなケースでは、第２通信システムに設けられるネットワーク装置（例えば、ｅＮＢ２１０）は、エンドマーカ待ち受けタイマ、ダイレクトデータ遅延抑制タイマ、フォワーディングデータ待ち合わせタイマを管理する。ネットワーク装置（例えば、ｅＮＢ２１０）は、これらのタイマを用いて、ダイレクトデータの送信開始を制御する。なお、ネットワーク装置がｅＮＢ２１０である場合には、ｅＮＢ２１０は、第１方法において、ＭＭＥ２３０から受信するメッセージ（例えば、“Ｈａｎｄｏｖｅｒ  Ｒｅｑｕｅｓｔ”）に応じて、エンドマーカ待ち受けタイマを起動する。或いは、ｅＮＢ２１０は、第１方法において、ＭＭＥ２３０から受信するメッセージ（例えば、“Ｈａｎｄｏｖｅｒ  Ｒｅｑｕｅｓｔ”）に応じて、フォワーディングデータ待ち合わせタイマを起動する。
【０１１８】
また、第１通信システム及び第２通信システムは、ＵＭＴＳやＬＴＥに対応する通信システムに限定されるものではなく、他の通信システム（例えば、ＷｉＭＡＸに対応する通信システム）であってもよい。
【０１１９】
上述した実施形態では、Ｉｎｔｅｒ−ＲＡＴハンドオーバの手順の詳細について省略したが、Ｉｎｔｅｒ−ＲＡＴハンドオーバの手順は、既知の手順である（例えば、３ＧＰＰ  ＴＳ２３．４０１  ｖ９．０．０  Ｓｕｂｃｌａｕｓｅ  ５．５．２  “Ｉｎｔｅｒ  ＲＡＴ  ｈａｎｄｏｖｅｒ”）。
【０１２０】
上述した実施形態では、ネットワーク装置２０がＲＮＣ１２０であるケースを例示したが、実施形態は、これに限定されるものではない。ネットワーク装置２０は、第２通信システムに設けられる装置であればよい。
【０１２１】
なお、上述したネットワーク装置２０の動作は、ハードウェアによって実施されてもよいし、プロセッサによって実行されるソフトウェアモジュールによって実施されてもよいし、両者の組み合わせによって実施されてもよい。
【０１２２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ネットワーク装置２０内に設けられていてもよい。また、かかる記憶媒体及びプロセッサは、ディスクリートコンポーネントとしてネットワーク装置２０内に設けられていてもよい。
【符号の説明】
【０１２４】
１０…通信端末装置、２０…ネットワーク装置、２１…通信部、２２…タイマ管理部、２３…制御部、３０…無線制御装置、５０…コアネットワーク、１００…移動通信システム、１１０…ＮＢ、１１１…セル、１２０…ＲＮＣ、１３０…ＳＧＳＮ、２１０…ｅＮＢ、２１１…セル、２３０…ＭＭＥ、３１０…ＳＧＷ、３２０…ＰＤＮ−ＧＷ
【図１】
2011229027.tif 000003
【図２】
2011229027.tif 000004
【図３】
2011229027.tif 000005
【図４】
2011229027.tif 000006
【図５】
2011229027.tif 000007